(57)【要約】【課題】  給電停止および給電停止解除作業を簡易に且つ安全に行い得るようにする。【解決手段】  スイッチカバー４０は、スイッチ本体２０に対して少なくとも開口部の嵌め合わせ向きが異なる第１嵌合姿勢および第２嵌合姿勢のいずれかで嵌合可能とされており、鈎型端子３１と直方体端子３２とは、スイッチカバー４０が第１嵌合姿勢でスイッチ本体２０に嵌合されているときには、接続片５０によって導通状態とされ、スイッチカバー４０が第２嵌合姿勢でスイッチ本体２０に所定の状態で嵌合されているときには、接続片５０による導通状態が解除されるようになっている。【選択図】      図３
2006040776.tif 000002
【特許請求の範囲】
【請求項１】
互いに離間して配置された第１端子部と第２端子部とを備えるスイッチ本体と、前記第１端子部と第２端子部とを電気的に導通させる接続片を内部に備えるスイッチカバーとを具備してなる給電開閉装置であって、
前記スイッチカバーは、前記スイッチ本体に対して開口部の嵌め合わせ向きが異なる第１嵌合姿勢および第２嵌合姿勢のいずれでも嵌合可能とされており、
前記第１端子部と第２端子部とは、スイッチカバーが前記第１嵌合姿勢でスイッチ本体に嵌合されているときには、前記接続片にて導通状態とされ、
スイッチカバーが前記第２嵌合姿勢でスイッチ本体に所定の状態で嵌合されているときには、前記接続片による導通状態が解除されることを特徴とする給電開閉装置。
【請求項２】
前記スイッチカバーは、当該スイッチカバーまたは前記スイッチ本体に突設されたスライド軸を介してスイッチ本体にスライド自在に取り付けられていることを特徴とする請求項１記載の給電開閉器。
【請求項３】
前記接続片は、前記スイッチカバーの天板に配置され、かつ、所定の付勢手段の付勢力によってスイッチカバーの開口方向に向けて付勢されていることを特徴とする請求項１または２記載の給電開閉器。
【請求項４】
前記スイッチカバーには前記接続片に当接可能とされた肩部が設けられている一方、前記スイッチ本体には前記第１および第２端子部を支持する受け部が設けられ、前記スイッチカバーが第１嵌合姿勢に設定された状態で肩部と受け部とは対向位置に位置設定される一方、前記スイッチカバーが第２嵌合姿勢に設定された状態で肩部は対向位置から外れるように設置位置が設定されていることを特徴とする請求項１乃至３のいずれかに記載の給電開閉器。
【請求項５】
スイッチ本体に対してスイッチカバーが所定の嵌合状態にあるときに、両者をロック状態とするロック手段を備えることを特徴とする請求項１乃至４のいずれかに記載の給電開閉器。
【発明の詳細な説明】
【技術分野】
【０００１】
本発明は、需要家に対する給電停止および給電停止解除を、活線下において容易、かつ、安全に行うことができる給電開閉器に関するものである。
【背景技術】
【０００２】
電力事業者から一般家庭や集合住宅、小規模商店等の低圧需要家に電力供給がなされる場合、一般に電力量計を介した給電が行われる。すなわち、送電系統からの引込み線を電力量計の一次側端子に接続し、電力量計の二次側端子に需要家の配電線を接続した給電系統を用いて給電が行われるのが一般的である。このような給電系統において、一時的に需要家に対する給電が停止される場合がある。このような場合として、例えば需要家の電力料金支払い債務不履行による強制的な給電停止や、賃貸住宅等における賃借人転居による給電停止等を挙げることができる。このような場合、前記電力量計の二次側端子から需要家の配電線を取り外すことで、給電停止状態とされる。かかる一時的な給電停止状態は、需要家による債務の履行や新たな賃借人の転入等により解除（電力量計二次側端子への配電線の再取り付け）されることとなる。
【０００３】
ところで、上記給電停止に当たり、電力量計二次側端子からの需要家配電線の取り外し・再取り付け作業は、一般に他の需要家との関係から停電工法を取ることができず、活線下における作業が要求される。従って、活線下工法を行い得るスキルを備えた特殊作業者による作業が必須となる。しかしながら、給電停止および給電停止解除の要請は都市部では非常に多く、前記特殊作業者の確保に窮する場合がある他、いくら熟練の作業者とはいえ感電や短絡事故等の危険性は完全に払拭できない。
【０００４】
そこで、上記のような給電停止および給電停止解除作業を簡易に且つ安全に行えるよう、例えば特許文献１には、電力量計の一次側端子と引込み線との間（若しくは電力量計の二次側端子と配電線との間）に開閉装置を介在させ、この開閉装置による開閉動作により前記給電停止および給電停止解除を行わせる給電開閉装置が開示されている。この開閉装置の開閉動作は、取り外し自在の導通プラグを装置本体に対して挿脱することにより行われる。
【特許文献１】特開２００２−９８７１６号公報
【発明の開示】
【発明が解決しようとする課題】
【０００５】
しかしながら、特許文献１に開示された装置にあっては、まず、開閉装置の開閉動作を、取り外し自在の導通プラグで行わせる構成は確かに操作性が良いのであるが、その操作性の良さから、前記開閉装置を無断で操作されしまう危惧がある。すなわち、導通プラグを取り外して絶縁プラグを代替的に嵌め込み給電停止状態にしたとしても、導通プラグを偽造する等して無断で給電停止解除の状態にされてしまうという危惧がある。
【０００６】
また、導通プラグの抜き差し動作により開閉動作を行わせる構成とすると、導通プラグが差し込まれる端子部が、該導通プラグを取り外した場合に表出してしまうことになる。つまり、充電部である前記端子部が表出することとなり、例えば無断操作等がなされて導通プラグが取り外された場合、危険な状態が作出されてしまうことになる。また導通プラグが装着されている状態においても、その導通プラグ装着部分に対して外部から比較的容易にアクセス可能とされていると、やはり感電等の危険性が有ると言わざるを得ない。
【０００７】
本発明は、上記のような状況に鑑みなされたものであって、給電停止および給電停止解除作業を簡易に且つ安全に行い得るようにした上で、盗電の危惧を可及的に少なくでき、さらに、開閉装置の取り付け作業性を向上すること可能な給電開閉器を提供することを目的としている。
【課題を解決するための手段】
【０００８】
請求項１記載の発明は、互いに離間して配置された第１端子部と第２端子部とを備えるスイッチ本体と、前記第１端子部と第２端子部とを電気的に導通させる接続片を内部に備えるスイッチカバーとを具備してなる給電開閉装置であって、前記スイッチカバーは、前記スイッチ本体に対して開口部の嵌め合わせ向きが異なる第１嵌合姿勢および第２嵌合姿勢のいずれでも嵌合可能とされており、前記第１端子部と第２端子部とは、スイッチカバーが前記第１嵌合姿勢でスイッチ本体に嵌合されているときには、前記接続片にて導通状態とされ、スイッチカバーが前記第２嵌合姿勢でスイッチ本体に所定の状態で嵌合されているときには、前記接続片による導通状態が解除されることを特徴とするものである。
【０００９】
かかる構成によれば、スイッチカバーを第１嵌合姿勢でスイッチ本体に被せることにより、スイッチカバー内に設けられた接続片がスイッチ本体に設けられた第１端子部および第２端子部の双方に当接して導通状態とされる一方、スイッチカバーをスイッチ本体から外すことにより接続片の第１端子部および第２端子部に対する当接が解除され、これによって第１および第２端子部間の導通状態が解除される。
【００１０】
請求項２記載の発明は、請求項１記載の発明において、前記スイッチカバーは、当該スイッチカバーまたは前記スイッチ本体に突設されたスライド軸を介してスイッチ本体にスライド自在に取り付けられていることを特徴とするものである。
【００１１】
かかる構成によれば、スイッチカバーは、スライド軸に案内されつつスイッチ本体に対して挿脱される。
【００１２】
請求項３記載の発明は、請求項１または２記載の発明において、前記接続片は、前記スイッチカバーの天板に配置され、かつ、所定の付勢手段の付勢力によってスイッチカバーの開口方向に向けて付勢されていることを特徴とするものである。
【００１３】
かかる構成によれば、スイッチカバーを第１嵌合姿勢でスイッチ本体に被せて接続片を第１および第２端子に当接させることにより、当該接続片は、付勢手段の付勢力によって第１および第２端子へ向けて押圧される。
【００１４】
請求項４記載の発明は、請求項１乃至３のいずれかに記載の発明において、前記スイッチカバーには前記接続片に当接可能とされた肩部が設けられている一方、前記スイッチ本体には前記第１および第２端子部を支持する受け部が設けられ、前記スイッチカバーが第１嵌合姿勢に設定された状態で肩部と受け部とは対向位置に位置設定される一方、前記スイッチカバーが第２嵌合姿勢に設定された状態で肩部は対向位置から外れるように設置位置が設定されていることを特徴とするものである。
【００１５】
かかる構成によれば、スイッチカバーを第１嵌合姿勢でスイッチ本体に被せることにより、スイッチカバーの肩部が接続片を介してスイッチ本体の受け部に対向し、これによって接続片が受け部に支持された第１および第２端子部の双方に当接した通電状態になる一方、スイッチカバーを第２嵌合姿勢でスイッチ本体に被せることにより、スイッチカバーの肩部が受け部と対向しなくなるため、第１および第２端子部の接続片を介した通電状態は解除される。
【００１６】
請求項５記載の発明は、請求項１乃至４のいずれかに記載の発明において、スイッチ本体に対してスイッチカバーが所定の嵌合状態にあるときに、両者をロック状態とするロック手段を備えることを特徴とするものである。
【００１７】
かかる構成を採用すれば、スイッチカバーがスイッチ本体に被せられた状態でロック手段によって両者をロックすることにより、第三者によってスイッチカバーがスイッチ本体から外されることが防止される。
【発明の効果】
【００１８】
請求項１記載の発明によれば、スイッチカバーを第１嵌合姿勢でスイッチ本体に被せることにより、スイッチカバー内に設けられた接続片がスイッチ本体に設けられた第１端子部および第２端子部の双方に当接して第１および第２端子部間を導通状態にすることができる一方、スイッチカバーをスイッチ本体から外すことにより接続片の第１端子部および第２端子部に対する当接が解除され、これによって第１および第２端子部間の導通状態を解除することができる。
【００１９】
このように、スイッチ本体に対して通電部分である接続片が内装されたスイッチカバーを第１または第２嵌合姿勢で挿脱することにより需要家に対して電力を供給し得るようにしたり供給を行い得なくしたりする、いわゆる開閉器の開閉作業を行うことができるため、従来のように、活線状態で開閉作業を行ったり、開閉器に対する導電プラグの挿脱で開閉作業を行う場合に比較し、充電部分が外部に露出していない分より確実な安全性を確保した上で作業性を大幅に向上させることができる。
【００２０】
請求項２記載の発明によれば、スイッチカバーは、スライド軸に案内されつつスイッチ本体に対して挿脱されるため、スライド軸が存在しない場合に比較してスイッチカバーのスイッチ本体に対する挿脱操作を容易に行うことができ、開閉器の開閉作業の作業性を向上させることができる。
【００２１】
請求項３記載の発明によれば、スイッチカバーを第１嵌合姿勢でスイッチ本体に被せて接続片を第１および第２端子部に当接させることにより、当該接続片は、付勢手段の付勢力によって第１および第２端子へ向けて押圧されるため、第１および第２端子部間の通電状態を確実なものにすることができる。
【００２２】
請求項４記載の発明によれば、スイッチカバーを第１嵌合姿勢でスイッチ本体に被せることにより、スイッチカバーの肩部が接続片を介してスイッチ本体の受け部に対向し、これによって接続片が受け部に支持された第１および第２端子部の双方に当接した通電状態になる一方、スイッチカバーを第２嵌合姿勢でスイッチ本体に被せることにより、スイッチカバーの肩部が受け部と対向しなくなって第１および第２端子部の接続片を介した通電状態を解消することができる。
【００２３】
そして、スイッチカバーに肩部を設けることにより、スイッチカバーが第１嵌合姿勢に姿勢設定された状態で、当該肩部に押されて接続片が受け部に支持された第１および第２端子部に確実に当接することが可能になり、これによって開閉器の確実な通電状態を得ることができる。
【００２４】
請求項５記載の発明によれば、スイッチカバーがスイッチ本体に被せられた状態でロック手段によって両者をロックすることにより、スイッチカバーがスイッチ本体から外されることを有効に防止することができる。
【発明を実施するための最良の形態】
【００２５】
図１は、本発明に係る給電開閉装置が適用され得る給電停止・停止解除システムＳの全体構成を示す模式図であり、図２はその電気的回路構成を示す回路ブロック図である。まず、図１に示すように、給電停止・停止解除システムＳは、架空電力送電線路等の送電系統１００の各所に設置された変圧器１０１から引込み線１０２を引き出し、電力量計９００を介して一般家庭や集合住宅、小規模商店等の低圧電力の需要家１０３に電力供給するような電力供給系統に適用されるシステムである。
【００２６】
そして、かかる給電停止・停止解除システムＳは、電力量計９００の一次側端子９０１に送電系統１００からの引込み線１０２が接続され、同二次側端子９０２に需要家１０３内部の屋内配線である需要家側配線１０４が接続された給電系統に適用されるものであり、前記電力量計９００の二次側端子９０２と需要家側配線１０４との間（電力量計９００の一次側端子９０１と引込み線１０２との間であってもよい）には、前記需要家１０３への給電停止および停止解除の操作を可能とする開閉器１０が介入されている。
【００２７】
前記電力量計９００は、需要家１０３で使用される電力量を計測するものであり、その本体部９０３には、通電量に応じて当該需要家１０３における電力使用量を計測する計測部９０４と、この計測部９０４で計測された電力使用量を数字等で表示する表示部９０５とが具備されている。本体部９０３の下側面には、前記計測部９０４と電気的に導通されているとともに、給電用電線が接続可能とされた一次側端子９０１および二次側端子９０２が設けられている。なお電力量計９００は、需要家１０３の適宜個所（例えば玄関先等）に、所定の取付け板１０５に固定されている。
【００２８】
電力量計９００の一次側端子９０１には、送電系統１００からの引込み線１０２の端末部１０６が接続されている。また二次側端子９０２には、開閉器１０のリード線９０６が接続されている。さらに開閉器１０には、需要家側配線１０４の端末部１０７が接続されている。電力量計９００の一次側端子９０１と二次側端子９０２とは、計測部９０４を経由して導通されており、而して送電系統１００（変圧器１０１）から、引込み線１０２、電力量計９００、開閉器１０および需要家側配線１０４を介して需要家１０３へ電力が供給される構成となっている。なお、本発明において用いられる開閉器１０が取り付けられる前は、需要家側配線１０４の端末部１０７が電力量計９００の二次側端子９０２に直結されていたのである。
【００２９】
以下、上記のような給電停止・停止解除システムＳにおいて好適に使用される本発明の給電開閉装置（開閉器１０，１０′）について、図面を基に詳細に説明する。図３は、第１実施形態に係る開閉器１０を示す一部切欠き分解斜視図であり、（イ）は、スイッチ本体２０が所定の方向に向けられた状態、（ロ）は、スイッチ本体２０が（イ）に示す状態から上下方向に延びる中心線回りに反時計方向に９０°回動された状態をそれぞれ示している。また、図４は、図３に示す開閉器の組立て斜視図であり、（イ）は、スイッチカバー４０が第１嵌合姿勢でスイッチ本体２０に被せられた状態、（ロ）は、スイッチカバー４０がスイッチ本体２０から外された状態、（ハ）は、スイッチカバー４０が第２嵌合姿勢でスイッチ本体に被せられた状態をそれぞれ示している。なお、図３および図４において、Ｘ−Ｘ方向を幅方向、Ｙ−Ｙ方向を前後方向といい、特に−Ｘ方向を第１側方、＋Ｘ方向を第２側方、−Ｙ方向を前方、＋Ｙ方向を後方という。
【００３０】
まず、図３に示すように、第１実施形態の開閉器１０は、硬質合成樹脂製のスイッチ本体２０と、このスイッチ本体２０に装着される端子部材３０と、前記スイッチ本体２０に着脱自在に外嵌される硬質合成樹脂製のスイッチカバー４０と、このスイッチカバー４０に装着される金属製の接続片５０と、前記スイッチ本体２０に貫通された状態で前記スイッチカバー４０に固定される前記接続片５０を支持するための接続片支持ロッド（スライド軸）６０とを備えた基本構成を有している。
【００３１】
前記スイッチ本体２０は、直方体状を呈し、その前半分部分に上面２０１から下方に向けて穿設された端子部材３０を嵌挿するための幅方向一対の角孔２１が設けられている。これらの角孔２１は、第１側方側の鈎型端子用角孔２１１と、第２側方側の直方体端子用角孔２１２とからなっている。前記鈎型端子用角孔２１１は、後述の鈎型端子（第１端子部）３１を装着するためのものであり、前記直方体端子用角孔２１２は、後述の直方体端子（第２端子部）３２を装着するためのものである。各角孔２１１，２１２の底板２１３には、導線Ｌ（需要家向け導線Ｌ１（図１における需要家側配線１０４に対応）および電力量計向け導線Ｌ２（図１におけるリード線９０６に対応））を挿通するための導線挿通孔２１４が穿設されている。
【００３２】
前記各角孔２１１，２１２間には、スイッチ本体２０の上下方向に延びる中心位置から後方へ向かう状態でその上面２０１に凹設された、後述の挟持片（受け部）２３を嵌め込むための前後方向に長尺の挟持片装着溝２２が設けられている。前記挟持片２３は、スイッチカバー４０を第１嵌合姿勢（嵌合姿勢については後に詳述する）でスイッチ本体２０に外嵌した状態で、当該挟持片２３とスイッチカバー４０の後述の肩部４６とで挟持するためのものである。
【００３３】
また、前記スイッチ本体２０には、上下方向に延びる中心線に沿って貫設された中心孔２４が設けられている。この中心孔２４は、上部が前記挟持片装着溝２２の前端部に臨んで開口され、開口部分の孔径寸法がそれより下部の孔径寸法より若干小さめに設定されている。そして、前記挟持片２３には、この中心孔２４に対応するように穿設された当該中心孔２４の上部開口部分と同一径寸法の貫通孔２３１が設けられ、当該挟持片２３を挟持片装着溝２２に嵌め込んだ状態で、この貫通孔２３１がスイッチ本体２０の中心孔２４と同心で連通するようになっている。これらの貫通孔２３１および中心孔２４は、前記接続片支持ロッド６０を挿通するためのものである。
【００３４】
さらに、前記スイッチ本体２０には、上面２０１の前半分に前方に向って先下がりに傾斜した傾斜凹部２５が形成されているとともに、この傾斜凹部２５の前端位置（すなわちスイッチ本体２０の上面２０１前端位置）の幅方向中央部に、当該スイッチ本体２０の上面２０１より若干上方に突出した台座縁部２６が設けられている。この台座縁部２６は、接続片５０の端部を支持するためのものである。
【００３５】
そして、このように構成されたスイッチ本体２０の底部には、周縁部から所定寸法だけ膨設された環状の膨設縁部２７が設けられ、スイッチ本体２０に外嵌されたスイッチカバー４０の下端縁部がこの膨設縁部２７に当止することによってスイッチカバー４０のスイッチ本体２０に対する外嵌量が設定されるようになっている。
【００３６】
前記端子部材３０は、接続片５０との協働（すなわち接続片５０の接離）で導線Ｌを導通状態と導通解除状態との間で切り替えるためのものであり、需要家向け導線Ｌ１に接続される鈎型端子３１と、電力量計向け導線Ｌ２に接続される直方体端子３２とからなっている。前記需要家向け導線Ｌ１の先端には、当該需要家向け導線Ｌ１を鈎型端子３１に接続するための接続金具Ｌ３がかしめ止めで固定されている。
【００３７】
前記鈎型端子３１は、本実施形態においてはＬ字形状を呈し、スイッチ本体２０の鈎型端子用角孔２１１の後方側の壁面に当接固定される被固定板３１１と、この被固定板３１１の上端部から前方へ向けて直角に折り曲げられることによって形成した折曲げ片３１２とを備えている。
【００３８】
前記被固定板３１１は、上下寸法が鈎型端子用角孔２１１の上下寸法より僅かに長めに設定されているとともに、前記折曲げ片３１２は、平面寸法が鈎型端子用角孔２１１の平面寸法より僅かに小さめに設定され、これによって上から鈎型端子用角孔２１１内に嵌挿された状態で、折曲げ片３１２の上面（すなわち接続片５０と当接する当接面３３）がスイッチ本体２０の上面２０１から僅かに上方へ突出するようになっている。
【００３９】
前記被固定板３１１の上下方向の略中央部には雌ねじの螺設されたビス孔３１３が設けられている一方、スイッチ本体２０には、当該ビス孔３１３に対向するように直方体端子用角孔２１２を介して貫設された前面から後方に向って延びる操作孔２０２が設けられている。そして、ビスＢ１をこの操作孔２０２を通して鈎型端子用角孔２１１内に差し入れ、接続金具Ｌ３を介して被固定板３１１のビス孔３１３にドライバ等の工具を用いて螺着綴結することにより、導線挿通孔２１４を介して鈎型端子用角孔２１１内に導入された需要家向け導線Ｌ１が鈎型端子３１と電気的に接続されるようになっている。
【００４０】
前記直方体端子３２は、前記直方体端子用角孔２１２に上部開口から摺接状態で嵌挿し得るとともに、直方体端子用角孔２１２に嵌挿された状態で上面（すなわち接続片５０と当接する当接面３４）がスイッチ本体２０の上面２０１から僅かに上方へ突出するように立体寸法が設定されている。かかる直方体端子３２には、下面から上方に向かって穿設された前記電力量計向け導線Ｌ２を挿入するための挿入孔３２１が設けられているとともに、前面からこの挿入孔３２１へ向って穿設された上下一対のボルト孔３２２が螺設されている。
【００４１】
一方、スイッチ本体２０には、図３の（ロ）に示すように、その前面から前記各ボルト孔３２２と対向するように穿設されたボルト挿通孔２０３が設けられている。このボルト挿通孔２０３は、直方体端子用角孔２１２に嵌挿された直方体端子３２を固定するための頭部Ｂ２２が円形を呈したいわゆる円頭ボルトＢ２を差し通すためのものであり、ボルト本体Ｂ２１が摺接状態で差し通される小径孔２０４と、この小径孔２０４の入口側にあって円頭ボルトＢ２の頭部Ｂ２２が収納される大径孔２０５とからなっている。大径孔２０５は、円頭ボルトＢ２のボルト本体Ｂ２１が直方体端子３２のボルト孔３２２に羅略された状態で円頭ボルトＢ２の頭部Ｂ２２頂面がスイッチ本体２０より内側に位置するように孔深さが設定されている。
【００４２】
したがって、直方体端子３２が直方体端子用角孔２１２に装着された状態で、電力量計向け導線Ｌ２をスイッチ本体２０の底板の導線挿通孔２１４を介して直方体端子３２の挿入孔３２１に差し通し、引き続き一対の円頭ボルトＢ２を各ボルト挿通孔２０３を介して直方体端子３２のボルト孔３２２に螺着して締め付けることにより、挿入孔３２１内の電力量計向け導線Ｌ２がボルト本体Ｂ２１によって綴結された状態で直方体端子３２が直方体端子用角孔２１２に固定されることになる。
【００４３】
前記スイッチカバー４０は、その内側に接続片５０を備えた状態でスイッチ本体２０に被せられるものであり、幅方向一対の側板４１と、これら一対の側板４１の各前縁部間に架設された前方板４２と、同各後縁部間に架設された後方板４３と、これら各側板４１、前方板４２および後方板４３の上縁部に一体に架設された天板４４とを備えて構成されている。
【００４４】
前記天板４４の中央位置の内面側には、下方に向けて突設された前記接続片支持ロッド６０を螺着して垂下させるための環状突起４５が設けられている。この環状突起４５には、内周面には雌ねじが螺設されたねじ孔４５１が同心で設けられ、接続片支持ロッド６０の上端部がこのねじ孔４５１に螺着綴結されることにより接続片支持ロッド６０がスイッチカバー４０内に装着されるようになっている。
【００４５】
また、前記後方板４３には、その内面側の上方の左右対称位置に前方へ向って膨設された幅方向一対の肩部４６が設けられている。これらの肩部４６は、接続片支持ロッド６０を介して環状突起４５に取り付けられた接続片５０の後述する第１および第２端子片５３，５４に当接するように寸法設定および位置設定されている。
【００４６】
また、前記前方板４２には、前記操作孔２０２の下部位置にロック用挿通孔４０１が穿設されている一方、スイッチ本体２０の前壁および後壁におけるロック用挿通孔４０１と対向した位置にはロック用ねじ孔２０６が螺設され、ロックボルト（ロック手段）Ｂ３をスイッチカバー４０のロック用挿通孔４０１を介してスイッチ本体２０のロック用ねじ孔２０６に螺着することにより、スイッチ本体２０に外嵌されたスイッチカバー４０がロックされるようになっている。
【００４７】
図５は、ロックボルトＢ３の一実施形態を示す斜視図であり、（イ）は、ロックボルトＢ３が開閉器１０に装着される直前の状態、（ロ）は、ロックボルトＢ３が開閉器１０に装着された状態をそれぞれ示している。また、（ハ）は、ロックボルトＢ３を操作するための専用工具７０の一実施形態を示す斜視図である。まず、図５の（イ）に示すように、ロックボルトＢ３は、ロック用ねじ孔２０６に螺着される雄ねじの螺設されたボルト本体Ｂ３１と、このボルト本体Ｂ３１の基端側に同心で一体形成された円形の頭部Ｂ３２とからなっている。
【００４８】
前記頭部Ｂ３２は、外径寸法がロック用挿通孔４０１の孔径寸法より僅かに小さく設定され、これによってボルト本体Ｂ３１がロック用ねじ孔２０６に螺着された状態で、図５の（ロ）に示すように、ロック用挿通孔４０１に嵌り込むようになっている。そして、頭部Ｂ３２がロック用挿通孔４０１に嵌り込むことによって、スイッチカバー４０は、スイッチ本体２０から抜け止め（すなわちロック）されることになる。
【００４９】
前記頭部Ｂ３２の表面側には、軸心を中心とする楕円孔Ｂ３３が凹設されているとともに、当該楕円孔Ｂ３３の中心位置には、孔底から外方に向けて突設された針状突起Ｂ３４が設けられている。かかる楕円孔Ｂ３３に専用工具７０の先端部が挿入された状態で当該専用工具７０が回動操作されることにより、ロックボルトＢ３がロック用ねじ孔２０６に対して挿脱されるようになっている。
【００５０】
前記専用工具７０は、図５の（ハ）に示すように、円柱状のグリップ７１と、このグリップ７１の先端から同心で突設されたグリップ７１より小径の軸部７２と、この軸部７２の先端から同心でさらに突設された係合突起７３とを備えて構成されている。前記係合突起７３は、ロックボルトＢ３の頭部Ｂ３２の楕円孔Ｂ３３に対応して正面視で楕円形に形状設定され、中心位置に前記針状突起Ｂ３４に対応した受容孔７３１が凹設されている。
【００５１】
そして、開閉器１０に対しロックボルトＢ３の着脱操作を行うに際しては、受容孔７３１を針状突起Ｂ３４に外嵌させるようにして係合突起７３を楕円孔Ｂ３３に嵌め込み、グリップ７１を把持して軸心回りに回動操作すればよい。これによってロックボルトＢ３はボルト心回りに正逆回動し、ボルト挿通孔２０３に対して着脱することができる。
【００５２】
このように、ロックボルトＢ３は、特殊な専用工具７０を用いなければ締弛操作をすることができないため、汎用されているドライバーやレンチ等の一般的な工具によっては操作することができず、したがって、スイッチカバー４０がみだりに開放されることを有効に防止することができる。
【００５３】
前記接続片５０は、図３に示すように、その姿勢に応じて鈎型端子３１と直方体端子３２とを電気的に接続したり接続を解除したりするものであり、本実施形態においてはＴ字形状を呈して形成されている。かかる接続片５０は、Ｔ字の縦棒に対応する前後方向に延びたベース片５１と、このベース片５１の一方の端部（図３の（イ）に示す例では後端部）から略直角に互いに反対方向に向けて突設されたＴ字の横棒に相当する端子片５２とからなっている。
【００５４】
前記ベース片５１は、長さ寸法が前記スイッチカバー４０の前後方向の内寸法より僅かに短めに設定されているとともに、端子片５２は、長さ寸法がスイッチカバー４０の幅方向の内寸法より僅かに短めに寸法設定され、これによってスイッチカバー４０がスイッチ本体２０に被された状態で接続片５０の下面がスイッチ本体２０の上面２０１と対向当接するようになされている。ベース片５１の前後方向の中央位置には前記接続片支持ロッド６０を貫通させるための貫通孔５５が穿設されている。
【００５５】
また、前記端子片５２は、前記端子部材３０の鈎型端子３１の当接面３３へ当接させる第１端子片５３と、同直方体端子３２の当接面３４へ当接させる第２端子片５４とからなっている。これら第１および第２端子片５３，５４は、ベース片５１より１段下がった位置に設けられ、これによって第１および第２端子片５３，５４間に挟持片２３を跨ぐ跨ぎ部５６が形成されている。
【００５６】
したがって、図４の（イ）に示すように、スイッチカバー４０が第１嵌合姿勢（肩部４６が端子部材３０と対向する状態の姿勢）でスイッチ本体２０に被せられることにより、挟持片２３が跨ぎ部５６に嵌り込んだ状態で、第１および第２端子片５３，５４が肩部４６により押圧されて第１端子片５３が鈎型端子３１の当接面３３に当接するとともに、第２端子片５４が直方体端子３２の当接面３４に当接し、これによって鈎型端子３１と直方体端子３２とが接続片５０を介して電気的に接続（導通）されることになる。
【００５７】
これに対し、図４の（ハ）に示すように、スイッチカバー４０が第２嵌合姿勢（第１嵌合姿勢に対して１８０°位相ずれすることにより肩部４６が台座縁部２６と対向した状態の姿勢）でスイッチ本体２０に被せられることにより、第１および第２端子片５３，５４が台座縁部２６を挟んでその外側方のスイッチ本体２０前縁部に当止するとともに、ベース片５１が挟持片２３上に載置された状態になり、これによって鈎型端子３１と直方体端子３２との電気的な接続状態（導通状態）が解除されることになる。
【００５８】
前記接続片支持ロッド６０は、図３に示すように、前記スイッチ本体２０の中心孔２４に差し通されるロッド本体６１と、このロッド本体６１の頂部に同心で一体的に付設された雄ねじ体６２とからなっている。雄ねじ体６２には、スイッチカバー４０の天板４４に設けられた環状突起４５のねじ孔４５１に螺着可能な雄ねじが螺設されている。したがって、この雄ねじ体６２をねじ孔４５１に螺着して締結することにより、接続片支持ロッド６０がスイッチカバー４０内に装着されることになる。
【００５９】
前記ロッド本体６１には、雄ねじ体６２より若干下方位置に径寸法が若干小さく設定された上方括れ部６３が設けられているとともに、下端位置に下方括れ部６４が設けられている。そして、ロッド本体６１が貫通孔５５に嵌め込まれることによって接続片５０がコイルスプリング（付勢手段）６６を介して環状突起４５に固定された状態で、接続片５０の下部に位置させた上方括れ部６３にＣリング６５が装着される。したがって、コイルスプリング６６の付勢力によって下方に向けて押圧された接続片５０は、Ｃリング６５に阻止されて外れ止めされる。
【００６０】
前記コイルスプリング６６は、内径寸法が環状突起４５の外径寸法より僅かに大きく設定され、これによって環状突起４５に外嵌された状態で接続片５０を付勢するようになっている。
【００６１】
このようなロッド本体６１は、雄ねじ体６２がスイッチカバー４０の環状突起４５のねじ孔４５１に螺着される前に、上方から挟持片２３の貫通孔２３１を介してスイッチ本体２０の中心孔２４に差し通され、当該中心孔２４から下方に突出した状態で前記下方括れ部６４にＣリング６５が嵌め込まれる。こうすることで、下方括れ部６４に装着されたＣリング６５が中心孔２４の上部の狭径部と干渉することによりロッド本体６１が中心孔２４から上方に抜け出るのが阻止されるようになっている。
【００６２】
そして、挟持片２３および端子部材３０が組み付けられた状態のスイッチ本体２０に、接続片支持ロッド６０を介して接続片５０の組み付けられたスイッチカバー４０が、連結されることにより、図４に示すような開閉器１０が完成する。そして、スイッチカバー４０の上下方向の内寸法が、ロッド本体６１の有効長より短く寸法設定されているため、開閉器１０が組み付けられることにより、スイッチカバー４０をスイッチ本体２０から最大長上方に引き上げた状態で、スイッチカバー４０の下縁部がスイッチ本体２０の上縁部と干渉しなくなる。したがって、この状態でスイッチカバー４０を接続片支持ロッド６０回りに正逆回動操作することでスイッチカバー４０の第１姿勢と第２姿勢との間の姿勢変更操作が可能になる。
【００６３】
因みに、本実施形態においては、図３の（イ）に示すように、スイッチカバー４０の後方板４３の適所に、「◎」が表記された第１表示部４７１が設定されているとともに、同前方板４２の適所に、「□」が表記された第２表示部４７２が設定されている。これらの表示部４７１，４７２は、スイッチカバー４０のスイッチ本体２０に対する嵌合姿勢（すなわち、開閉器１０が通電状態および通電解除状態のいずれになっているのか）を容易に視認し得るようにするためのものである。
【００６４】
本実施形態では、第１表示部４７１に付された「◎」印は、スイッチカバー４０がスイッチ本体２０に対して第１嵌合姿勢で外嵌され、これによって開閉器１０が通電状態になっていることを示す目印であり、第２表示部４７２に付された「□」は、スイッチカバー４０がスイッチ本体２０に対して第２嵌合姿勢で外嵌され、これによって開閉器１０が通電解除状態になっていることを示す目印である。
【００６５】
したがって、開閉器１０のオン・オフ操作を行う作業者がスイッチ本体２０の後面（＋Ｙ方向の面）と対面し得るように当該スイッチ本体２０を前記取付け板１０５（図１）等に取り付けておくことにより、作業者は、スイッチカバー４０の表示部４７１，４７２を目視することで開閉器１０が通電状態であるのか通電解除状態であるのかを即座に認識することができる。すなわち、作業者が対面したスイッチカバー４０の面の第１表示部４７１に、図４の（イ）に示すように、「◎」印が存在すれば開閉器１０は通電状態になっており、同第２表示部４７２に、図４の（ハ）に示すように、「□」印が存在すれば開閉器１０は通電解除状態になっているのである。
【００６６】
以下、図６を基に、必要に応じて図３〜図５を参照しながら第１実施形態の開閉器１０の作用について説明する。図６は、第１実施形態の開閉器１０の作用を説明するための断面視の説明図であり、（イ）は、第１嵌合姿勢に姿勢設定されたスイッチカバー４０がスイッチ本体２０に嵌合された状態、（ロ）は、スイッチカバー４０がスイッチ本体２０から引き上げられた状態、（ハ）は、第２嵌合姿勢に姿勢設定されたスイッチカバー４０がスイッチ本体２０に嵌合された状態をそれぞれ示している。なお、図６の（イ）〜（ハ）に添えられた添え字の「ａ」は、側面視の断面図であり、同「ｂ」は、正面視の断面図であることを示している。
【００６７】
まず、図６の（イ）に示す、第１嵌合姿勢に姿勢設定されたスイッチカバー４０がスイッチ本体２０に嵌合された状態においては、接続片５０は、コイルスプリング６６の付勢力で下方に向けて押圧された状態でスイッチカバー４０の肩部４６が接続片５０の端子片５２（第１および第２端子片５３，５４の双方）に当接していることにより、鈎型端子３１と直方体端子３２との間は接続片５０を介して通電状態が確保されている。
【００６８】
なお、この状態では、接続片５０の第１および第２端子片５３，５４が鈎型端子３１および直方体端子３２の各当接面３３，３４とそれぞれ面接触で当接しているため、接続片５０のベース片５１先端側が台座縁部２６から浮き上がることはなく、接続片５０の水平状態が維持される。
【００６９】
この状態の開閉器１０に対して遮断操作を施すに際しては、第１嵌合姿勢に姿勢設定されているスイッチカバー４０が第２嵌合姿勢に姿勢変更される。この姿勢変更のために、まず、ロックボルトB３（図５の（ロ））が専用工具７０（図５の（ハ））を用いて開閉器１０から外され、引き続きスイッチカバー４０がスイッチ本体２０から外される。
【００７０】
そして、スイッチカバー４０がスイッチ本体２０から外された状態では、図６の（ロ）−ｂに示すように、ロッド本体６１の下端部に装着されたCリング６５がスイッチ本体２０の中心孔２４の上縁部における狭小径部分と干渉し、これによってスイッチカバー４０はスイッチ本体２０に対して外れ止めされてはいるが、スイッチカバー４０の下縁部がスイッチ本体２０の上縁部から外れているためロッド本体６１回りに回動可能になっている。
【００７１】
この状態でスイッチカバー４０をロッド本体６１回りに１８０°回転させて第２嵌合姿勢に姿勢変更した上で、再度、スイッチ本体２０に外嵌し、ロックボルトB３をスイッチ本体２０のロック用ねじ孔２０６（図５の（イ））に螺着・締結することにより、図６の（ハ）に示すように、第２嵌合姿勢に姿勢設定されたスイッチカバー４０がスイッチ本体２０に装着された状態になる。
【００７２】
そして、この状態においては、図６の（ハ）に示すように、第１および第２端子片５３，５４がスイッチカバー４０の一対の肩部４６とスイッチ本体２０の前方上縁部とによって挟持された状態（図６の（ハ）−ｂ）になって鈎型端子３１および直方体端子３２との当接が解除された状態になっているとともに、接続片５０のベース片５１の先端側（第１および第２端子片５３，５４が設けられている側の反対側）が挟持片２３と対向した状態になっている（因みに、図６の（ハ）−ａでは、ベース片５１の先端側が挟持片２３から浮き上がった状態を示しているが、必ずしも浮き上がるとは限らない）ため、開閉器１０は、鈎型端子３１と直方体端子３２との間の通電状態が解除された、いわゆる遮断状態になる。
【００７３】
一旦遮断された開閉器１０の遮断を元の通電状態に回復するには、ロックボルトB３を外して一旦スイッチカバー４０をスイッチ本体２０から外し、ロッド本体６１回りに１８０°回動操作した後、再びスイッチ本体２０に被せてロックボルトB３でロックすればよい。こうすることによって、スイッチカバー４０は、図６の（イ）に示すように、第１嵌合姿勢でスイッチ本体２０に外嵌されるた状態になるため、先に説明したように、接続片５０を介した鈎型端子３１と直方体端子３２との間の通電状態が確保される。
【００７４】
図７は、第２実施形態の開閉器１０′を示す一部切欠き分解斜視図である。また、図８は、図７に示す開閉器１０′の組立て斜視図であり、（イ）は、スイッチカバー４０′が第１嵌合姿勢でスイッチ本体２０′に被せられた状態、（ロ）は、スイッチカバー４０′がスイッチ本体２０′から外された状態、（ハ）は、スイッチカバー４０′が第２嵌合姿勢でスイッチ本体２０′に被せられた状態をそれぞれ示している。なお、図７および図８において、Ｘ−Ｘ方向を幅方向、Ｙ−Ｙ方向を前後方向といい、特に−Ｘ方向を第１側方、＋Ｘ方向を第２側方、−Ｙ方向を前方、＋Ｙ方向を後方という。
【００７５】
第２実施形態の開閉器１０′は、スイッチカバー４０′に第１実施形態のT字状を呈した弾性変形しない接続片５０に代えて弾性変形が可能に構成された弾性接続片５０′が採用されている点、スイッチ本体２０′に前記弾性接続片５０′に対応して一対の角孔２１間を連通する連通溝２８が設けられている点、端子部材３０として直方体端子３２のみが採用されている点、およびスイッチ本体２０′には、中心孔２４前方位置に弾性接続片５０′を嵌挿する逃し孔２９が凹設されている点で第１実施形態の開閉器１０と相違している。その他の点については、設計上の詳細事項は別として第１実施形態の開閉器１０と略同一に構成されている。
【００７６】
前記弾性接続片５０′は、図７に示すように、例えば一枚の長尺のばね板を中央部が下方に垂下するように折り曲げ処理して形成されたものであり、幅方向一対のビス座５７と、このビス座５７の対向縁部から下方に垂下して下端部で一体化された状態で縦長の環状を呈する弾性環状体５８とからなっている。かかる弾性接続片５０′は、前記各ビス座５７が天板４４の内面側の幅方向中央部における後端位置に左右対称状態でビスB１で固定されることによってスイッチカバー４０′内に装着されている。
【００７７】
前記弾性環状体５８は、上下寸法がスイッチ本体２０′の前記連通溝２８の上下深さより若干短めに寸法設定されている。かかる弾性環状体５８は、ビス座５７直下の括れ部５８１と、この括れ部５８１の下端部から互いに反対方向に離間した状態で垂下した幅方向一対の端子板５８２と、各端子版の下端部間に架設された下端架設部５８３とからなっている。前記括れ部５８１の下部は、互いに離間する方向に向けて先下がりに撫ぜ型状に形成されているとともに、前記下端架設部５８３は、下方に向けて凸の略円弧状に形成されている。また、各端子板５８２間の外寸法は、前記連通溝２８の幅寸法より若干長尺に設定され、これによって弾性環状体５８は、連通溝２８に嵌め込まれた状態で連通溝２８から第１および第２側方に向けて連通溝２８に若干入り込むようになっている。
【００７８】
このような第２実施形態の開閉器１０′によれば、図８の（イ）に示すように、スイッチカバー４０′がスイッチ本体２０′に外嵌された状態で、弾性環状体５８は、一対の端子板５８２が互いに接近する方向に向かうように弾性変形して各端子板５８２が一対の直方体端子３２に押圧当接するため、一対の直方体端子３２の互いの電気的な導通状態を確保することができる。
【００７９】
これに対し、開閉器１０′を遮断するに際しては、図８の（ロ）に示すように、スイッチカバー４０′を引き上げてスイッチ本体２０′から一旦外し、引き続き当該スイッチカバー４０′をロッド本体６１回りに１８０°回転させてから再度スイッチ本体２０′に外嵌すればよい。そうすると、スイッチカバー４０′は、その弾性環状体５８がスイッチ本体２０′の逃し孔２９に挿入される第２嵌合姿勢でスイッチ本体２０′に装着された状態になり、これによって開閉器１０′を、一対の直方体端子３２間の弾性環状体５８を介した電気的な導通状態が解除された遮断状態にすることができる。
【００８０】
以上詳述したように，本発明に係る開閉器１０，１０′は、互いに離間して配置された第１端子部としての鈎型端子３１と第２端子部としての直方体端子３２とを備える（第２実施形態では第１反支部も直方体端子３２が採用される）スイッチ本体２０，２０′と、鈎型端子３１（または直方体端子３２）と直方体端子３２とを電気的に導通させる接続片５０，５０′を内部に備えるスイッチカバー４０，４０′とを具備してなるものであり、スイッチカバー４０，４０′は、スイッチ本体２０，２０′に対して少なくとも開口部の嵌め合わせ向きが異なる第１嵌合姿勢および第２嵌合姿勢のいずれかで嵌合可能とされており、鈎型端子３１（または直方体端子３２）と直方体端子３２とは、スイッチカバー４０，４０′が第１嵌合姿勢でスイッチ本体２０，２０′に嵌合されているときには、接続片５０，５０′によって導通状態とされ、スイッチカバー４０，４０′が第２嵌合姿勢でスイッチ本体２０，２０′に所定の状態で嵌合されているときには、接続片５０，５０′による導通状態が解除されるようになっている。
【００８１】
したがって、スイッチカバー４０，４０′を第１嵌合姿勢でスイッチ本体２０，２０′に被せることにより、スイッチカバー４０，４０′内に設けられた接続片５０，５０′がスイッチ本体２０，２０′に設けられた第１端子部および第２端子部の双方に当接して導通状態とされる一方、スイッチカバー４０，４０′をスイッチ本体２０，２０′から外すことにより接続片５０，５０′の第１端子部および第２端子部に対する当接が解除され、これによって鈎型端子３１（直方体端子３２）と直方体端子３２との間のの導通状態を解除することができる。
【００８２】
このように、スイッチ本体２０，２０′に対して通電部分である接続片５０，５０′が内装されたスイッチカバー４０，４０′を挿脱することで需要家に対して電力を供給し得るようにしたり供給を行い得なくしたりする、いわゆる開閉器１０，１０′の開閉作業を行うことができるため、従来のように、活線状態で開閉作業を行ったり、開閉器１０，１０′に対する導電プラグの挿脱で開閉作業を行う場合に比較し、通電部分が外部に露出していない分より確実な安全性を確保した上で作業性を大幅に向上させることができる。
【００８３】
また、スイッチカバー４０，４０′は、当該スイッチカバー４０，４０′に設けられた接続片支持ロッド６０を介してスイッチ本体２０，２０′にスライド自在に取り付けられているため、接続片支持ロッド６０が存在しない場合に比較してスイッチカバーのスイッチ本体に対する挿脱操作を容易に行うことができ、これによっても開閉器１０，１０′の開閉作業の作業性を向上させることができる。
【００８４】
また、第１実施形態の開閉器１０においては、接続片５０は、スイッチカバー４０の天板４４に配置され、かつ、コイルスプリング６６の付勢力によってスイッチカバー４０，４０′の開口方向に向けて付勢されているため、スイッチカバー４０，４０′を第１嵌合姿勢でスイッチ本体２０，２０′に被せて接続片５０を鈎型端子３１および直方体端子３２の双方に当接させることにより、当該接続片５０，５０′は、コイルスプリング６６の付勢力によって鈎型端子３１および直方体端子３２へ向けて押圧され、これによって鈎型端子３１と直方体端子３２との間の通電状態をより確実なものにすることができる。
【００８５】
また、第１実施形態の開閉器１０においては、スイッチカバー４０には接続片５０に当接可能とされた肩部４６が設けられている一方、スイッチ本体２０には鈎型端子３１および直方体端子３２を支持する挟持片２３が設けられ、スイッチカバー４０が第１嵌合姿勢に設定された状態で肩部４６と挟持片２３とは対向位置に位置設定される一方、スイッチカバー４０が第２嵌合姿勢に設定された状態で肩部４６は対向位置から外れるように設置位置が設定されているため、スイッチカバー４０を第１嵌合姿勢でスイッチ本体２０に被せることにより、スイッチカバー４０の肩部４６が接続片５０，５０′を介してスイッチ本体２０の挟持片２３に対向し、これによって接続片５０，５０′が挟持片２３に支持された鈎型端子３１および直方体端子３２の双方に当接した通電状態になる一方、スイッチカバーを第２嵌合姿勢でスイッチ本体２０に被せることにより、スイッチカバー４０の肩部４６が挟持片２３と対向しなくなって鈎型端子３１および直方体端子３２の接続片５０を介した通電状態を解消することができる。
【００８６】
そして、スイッチカバーに肩部４６を設けることにより、スイッチカバーが第１嵌合姿勢に姿勢設定された状態で、当該肩部４６に押されて接続片５０が挟持片２３に支持された鈎型端子３１および直方体端子３２に確実に当接することが可能になり、これによって開閉器１０，１０′の確実な通電状態を得ることができる。
【００８７】
また、第１および第２実施形態の開閉器１０，１０′は、スイッチ本体２０，２０′に対してスイッチカバー４０，４０′が嵌合された状態で両者をロック状態とするロックボルトB３を備えているため、スイッチカバー４０，４０′がスイッチ本体２０，２０′に被せられた状態でロックボルトB３をスイッチ本体２０に螺着することにより、両者は互いにロック状態になり、第三者によってスイッチカバー４０，４０′がスイッチ本体２０，２０′から外されることを有効に防止することができる。
【００８８】
本発明は上記の実施形態に限定されるものではなく、以下の内容をも包含するものである。
【００８９】
（１）上記の第１実施形態においては、スイッチカバー４０内で接続片支持ロッド６０に装着されている接続片５０は、コイルスプリング６６によって開口方向に向けて付勢され、これによって第１および第２端子片５３，５４が鈎型端子３１および直方体端子３２の双方に押圧当接して両者の導通状態が確実に行われるようになされているが、こうする代わりに接続片５０自体を弾性変形可能なばね材によって形成し、スイッチカバー４０がスイッチ本体２０に装着された状態で接続片５０の第１および第２端子片５３，５４を弾性変形させることにより当該第１および第２端子片５３，５４が鈎型端子３１および直方体端子３２に押圧当接するようにしてもよい。こうすることで、コイルスプリング６６を使用しなくてもよい分部品点数の削減が実現し、部品コストの低減化に貢献することができる。
【００９０】
（２）上記の実施形態においては、ロック手段としておび３２のに工夫を凝らしたロックボルトB３が採用されているが、本発明は、ロック手段がロックボルトB３であることに限定されるものではなく、各種の態様のロック手段を採用することができる。たとえば、ロックボルトB３の頭部B３２に形成される楕円孔B３３の中央部の針状突起B３４を省略したり、楕円孔B３３に代えて特殊な多角形の孔を採用したり、ＬＨねじ、ＬＲタンパートラスねじあるいはトルクスねじ等の専用の特定工具によらなければ操作し得ないものが好適に使用される。さらに、ねじに限らず、特殊な工具によってしか締結・解除が行い得ない固定ピンや、楔構造であってもよいし、専用のキーでしか操作し得ない鍵構造体や、数字が付された操作キー部材の数字合せで操作する鍵構造体等を採用してもよい。
【００９１】
（３）上記の実施形態においては、一対の角孔２１がスイッチ本体２０，２０′の後方位置で幅方向に向けて並設されているが、本発明は、一対の角孔２１が幅方向に並設されることに限定されるものではなく、各角孔２１を中心孔２４を中心として対角位置に設けてもよい。この場合は、スイッチカバー４０の第１嵌合姿勢と第２嵌合姿勢との間の姿勢変更を接続片支持ロッド６０回りの９０°の回動操作で済ませることができるため、姿勢変更操作の操作性が向上する。
【００９２】
（４）上記の第１実施形態においては、端子部材３０において需要家向け導線Ｌ１が接続される方に鈎型端子３１が採用されている一方、電力量計向け導線Ｌ２が接続される方に直方体端子３２が採用されているが、本発明は、どちらの導線Ｌにどのタイプの端子部材３０を採用するかについて限定はなく、需要家向け導線Ｌ１を直方体端子３２に接続するとともに、電力量計向け導線Ｌ２を鈎型端子３１に接続してもよいし、双方を鈎型端子３１あるいは直方体端子３２にしてもよい。
【図面の簡単な説明】
【００９３】
【図１】本発明に係る開閉装置が適用され得る給電停止・停止解除システムの全体構成を示す模式図である。
【図２】図１の給電停止・停止解除システムの電気的回路構成を示す回路ブロック図である。
【図３】本発明に係る開閉器の第１実施形態を示す一部切欠き分解斜視図であり、（イ）は、スイッチ本体が所定の方向に向けられた状態、（ロ）は、スイッチ本体が（イ）に示す状態から上下方向に延びる中心線回りに反時計方向に９０°回動された状態をそれぞれ示している。
【図４】図３に示す開閉器の組立て斜視図であり、（イ）は、スイッチカバーが第１嵌合姿勢でスイッチ本体に被せられた状態、（ロ）は、スイッチカバーがスイッチ本体から外された状態、（ハ）は、スイッチカバーが第２嵌合姿勢でスイッチ本体に被せられた状態を示している。
【図５】ロックボルトの一実施形態を示す斜視図であり、（イ）は、ロックボルトが開閉器に装着される直前の状態、（ロ）は、ロックボルトが開閉器に装着された状態をそれぞれ示し（ハ）は、ロックボルトを操作するための専用工具の一実施形態を示す斜視図である。
【図６】第１実施形態の開閉器の作用を説明するための断面視の説明図であり、（イ）は、第１嵌合姿勢に姿勢設定されたスイッチカバーがスイッチ本体に嵌合された状態、（ロ）は、スイッチカバーがスイッチ本体から引き上げられた状態、（ハ）は、第２嵌合姿勢に姿勢設定されたスイッチカバーがスイッチ本体に嵌合された状態をそれぞれ示している。
【図７】本発明に係る開閉器の第２実施形態を示す一部切欠き分解斜視図である。
【図８】図７に示す開閉器の組立て斜視図であり、（イ）は、スイッチカバーが第１嵌合姿勢でスイッチ本体に被せられた状態、（ロ）は、スイッチカバーがスイッチ本体から外された状態、（ハ）は、スイッチカバーが第２嵌合姿勢でスイッチ本体に被せられた状態を示している。
【符号の説明】
【００９４】
１０，１０′  開閉器          ２０，２０′  スイッチ本体
２０１  上面                  ２０２  操作孔
２０３  ボルト挿通孔          ２０４  小径孔
２０５  大径孔                ２０６  ロック用ねじ孔
２１  角孔                    ２１１  鈎型端子用角孔
２１２  直方体端子用角孔      ２１３  底板
２１４  導線挿通孔            ２２  挟持片装着溝
２３  挟持片（受け部）        ２３１  貫通孔
２４  中心孔                  ２５  傾斜凹部
２６  台座縁部                ２７  膨設縁部
２８  連通溝                  ２９  逃し孔
３０  端子部材                ３１  鈎型端子（第１端子部）
３１１  被固定板              ３１２  折曲げ片
３１３  ビス孔                ３２  直方体端子（第２端子部）
３２１  挿入孔                ３２２  ボルト孔
３３，３４  当接面            ４０，４０′  スイッチカバー
４０１  ロック用挿通孔        ４１  側板
４２  前方板                  ４３  後方板
４４  天板                    ４５  環状突起
４５１  ねじ孔                ４６  肩部
４７１  第１表示部            ４７２  第２表示部
５０  接続片                  ５０′  弾性接続片
５１  ベース片                ５２  端子片
５２  端子片                  ５３  第１端子片
５４  第２端子片              ５５  貫通孔
５６  跨ぎ部                  ５７  ビス座
５８  弾性環状体              ６０  接続片支持ロッド（スライド軸）
６１  ロッド本体              ６２  雄ねじ体
６３  上方括れ部              ６４  下方括れ部
６５  Ｃリング                ６６  コイルスプリング（付勢手段）
７０  専用工具                ７１  グリップ
７２  軸部                    ７３  係合突起
Ｂ１  ビス                    Ｂ２  円頭ボルト
Ｂ２１  ボルト本体            Ｂ２２  頭部
Ｂ３  ロックボルト（Ｂ３）    Ｂ３１  ボルト本体Ｂ
Ｂ３２  頭部                  Ｂ３３  楕円孔
Ｂ３４  針状突起              Ｌ  導線
Ｌ１  需要家向け導線          Ｌ２  電力量計向け導線
【図１】
2006040776.tif 000003
【図２】
2006040776.tif 000004
【図３】
2006040776.tif 000005
【図４】
2006040776.tif 000006
【図５】
2006040776.tif 000007
【図６】
2006040776.tif 000008
【図７】
2006040776.tif 000009
【図８】
2006040776.tif 000010